(57)【要約】【課題】    ポケット内の収納物の水濡れ防止を図ったベストを提供する。  【解決手段】    ベストＶは、前身ごろ１１と後身ごろ１２とを有すると共に、通気性部材で形成されたベスト本体１０と、このベスト本体１０に設けられたポケット１５と、このポケット１５の開口部を開閉する蓋１６と、ポケット１５及び蓋１６は、防水部材で形成されているものである。【選択図】図４
0003145269.tif 000002
【実用新案登録請求の範囲】
【請求項１】
前身ごろと後身ごろとを有すると共に、通気性部材で形成されたベスト本体と、
このベスト本体に設けられたポケットと、
このポケットの開口部を開閉する蓋と、
前記ポケット及び前記蓋は、防水部材で形成されている
ことを特徴とするベスト。
【請求項２】
前身ごろと後身ごろとを有すると共に、通気性部材で形成されたベスト本体と、
このベスト本体に設けられたポケットと、
このポケットの開口部を開閉する蓋と、
前記ポケットの表地及び前記蓋の表地は、前記ベスト本体と同じ素材であり、
前記ポケットの袋内部及び前記蓋の裏面は、防水部材で形成されている
ことを特徴とするベスト。
【請求項３】
ベスト本体、ポケットの表地及び蓋の表地は、通気性のあるメッシュ素材で構成されている
ことを特徴とする請求項１又は請求項２記載のベスト。
【考案の詳細な説明】
【技術分野】
【０００１】
本考案は、ベストに係り、特に、ポケット内の収納物の水濡れ防止を図ったベストに関する。
【背景技術】
【０００２】
通気性のあるメッシュ素材で構成されたポケット付きベストがある。かかるベストを装着して作業する場合、特に、夏場においては、通気性が良好なため、非常に便利である。
【０００３】
しかしながら、上述のベストにあっては、雨天、夏場の暑い時期の作業時、ポケットが通気性のあるメッシュ素材で構成されているため、ポケット内に雨、汗等が侵入し、ポケット内に収納された収納物（例えば、携帯電話、小形ライト、たばこ等）が、雨、汗等によって湿ったり、ぬれたりするという問題点が生じた。
【考案の開示】
【考案が解決しようとする課題】
【０００４】
本考案は、上記問題点を除去するようにしたベストを提供することを目的としている。
【課題を解決するための手段】
【０００５】
前記した目的を達成するための本考案のベストは、前身ごろと後身ごろとを有すると共に、通気性部材で形成されたベスト本体と、このベスト本体に設けられたポケットと、このポケットの開口部を開閉する蓋と、前記ポケット及び前記蓋は、防水部材で形成されているものである。
【０００６】
また、請求項２記載のベストは、前身ごろと後身ごろとを有すると共に、通気性部材で形成されたベスト本体と、このベスト本体に設けられたポケットと、このポケットの開口部を開閉する蓋と、前記ポケットの表地及び前記蓋の表地は、前記ベスト本体と同じ素材であり、前記ポケットの袋内部及び前記蓋の裏面は、防水部材で形成されているものである。
【０００７】
また、請求項３記載のベストは、請求項１又は請求項２記載のベストにおいて、ベスト本体、ポケットの表地及び蓋の表地は、通気性のあるメッシュ素材で構成されているものである。
【考案の効果】
【０００８】
請求項１記載のベストによれば、ベスト本体は通気性部材で形成されているため、夏場、蒸れるのを防止することができ、しかも、ポケット及び蓋は、防水部材で形成されているため、ポケット内に雨、汗等の侵入を防いで、収納された収納物が、雨、汗等によって湿ったり、ぬれたりするのを防ぐことができる。
【０００９】
また、請求項２記載のベストによれば、ベスト本体は通気性部材で形成されているため、夏場、蒸れるのを防止することができ、しかも、ポケットの袋内部及び蓋の裏面は、防水部材で形成されているため、ポケット内に雨、汗等の侵入を防いで、収納された収納物が、雨、汗等によって湿ったり、ぬれたりするのを防ぎ、更に、ポケットの表地及び蓋の表地は、ベスト本体と同じ素材であるため、外観的にも違和感をも与えない。
【００１０】
また、請求項３記載のベストによれば、請求項１又は請求項２記載の考案の効果に加え、ポケットの表地及び蓋の表地は、ベスト本体と同じ素材であるため、外観的にも違和感をも与えない。
【考案を実施するための最良の形態】
【００１１】
本考案の一実施例のベストを図面を参照して説明する。
図１乃至図５において、Ｖはベストで、ベストＶは、前身ごろ１１と後身ごろ１２とを有すると共に、通気性部材で形成されたベスト本体１０とを有している。通気性部材は、例えば、通気性のあるメッシュ素材である。
【００１２】
１３、１４は光に反射する反射部材で、水平方向に離間して設けられている。ウエストの部位に対応するベスト本体１０の部位には、ウエストのサイズに自由度を持たせるために、第１の面状ファスナー２１、第２の面状ファスナー２２、第３の面状ファスナー２３、第４の面状ファスナー２４、第５の面状ファスナー２５、第６の面状ファスナー２６、第７の面状ファスナー２７、第８の面状ファスナー２８が設けられ、第１の面状ファスナー２１〜第４の面状ファスナー２４が後身ごろ１２に、第５の面状ファスナー２５〜第８の面状ファスナー２８が前身ごろ１１に、それぞれ取り付けられている。
そして、ウエスト調整を行った後、図４及び図５に示すように、第５の面状ファスナー２５を第１の面状ファスナー２１に、第６の面状ファスナー２６を第２の面状ファスナー２２に、図示しないが、第７の面状ファスナー２７を第３の面状ファスナー２３に、第８の面状ファスナー２８を第４の面状ファスナー２４に、それぞれ係止して、ベスト本体１０のウエスト部位を形成することができる。
【００１３】
また、１５、１５’、１５’は、ベスト本体１０に設けられたポケットで、ポケット１５、１５’、１５’は、小物、例えば、携帯電話、小形ライト、たばこ等を収納する。  
１６、１６’、１６’は、ポケット１５、１５’、１５’の開口部を開閉する蓋である。ポケット１５、１５’、１５’は、図１、図４及び図５に示すように、例えば、３箇所設けてある。ポケット１５、１５’、１５’及び蓋１６、１６’、１６’は、防水部材で形成されている。
【００１４】
上述したベストＶによれば、ベスト本体１０は通気性部材で形成されているため、夏場、蒸れるのを防止することができ、しかも、ポケット１５、１５’、１５’及び蓋１６、１６’、１６’は、防水部材で形成されているため、ポケット１５、１５’、１５’内に雨、汗等の侵入を防いで、収納された小物の収納物が、雨、汗等によって湿ったり、ぬれたりするのを防ぐことができる。
【００１５】
なお、望ましくは、ポケット１５、１５’、１５’の表地１５ａ、１５’ａ、１５’ａ及び蓋１６、１６’、１６’の表地１６ａ、１６’ａ、１６’ａは、ベスト本体１０と同じ素材、例えば、通気性のあるメッシュ素材で構成し、ポケット１５、１５’、１５’の袋内部及び蓋１６、１６’、１６’の裏面を防水部材１５ｂ、１５’ｂ、１５’ｂ、１６ｂ、１６’ｂ、１６’ｂで形成するのが良い。
これは、ポケット１５、１５’、１５’の表地１５ａ、１５’ａ、１５’ａ及び蓋１６の表地１６ａ、１６’ａ、１６’ａをベスト本体１０と同じ素材とすることにより、外観的に違和感を与えないためである。
【図面の簡単な説明】
【００１６】
【図１】図１は、本考案の一実施例のベストの装着する前の扁平状態の概略的正面図である。
【図２】図２は、図１の概略的背面図である。
【図３】図３は、図１のベストを展開して裏面側から見た概略的展開図である。
【図４】図４は、図１のベストを装着し、ウエスト部が接続される前の状態の概略的斜視図である。
【図５】図５は、図４のウエスト部が接続された状態の概略的斜視図である。
【図６】図６は、図４の一部を拡大して示す概略的一部拡大斜視図である。
【図７】図７は、図６の７−７線による概略的断面図である。
【図８】図８は、図６の８−８線による概略的断面図である。
【図９】図９は、図４の一部を拡大して示す概略的一部拡大斜視図である。
【図１０】図１０は、図９の１０−１０線による概略的断面図である。
【図１１】図１１は、図９の１１−１１線による概略的断面図である。
【符号の説明】
【００１７】
Ｖ     …ベスト
１０   …ベスト本体
１１   …前身ごろ
１２   …後身ごろ
１５   …ポケット
１６   …蓋
【図１】
0003145269.tif 000003
【図２】
0003145269.tif 000004
【図３】
0003145269.tif 000005
【図４】
0003145269.tif 000006
【図５】
0003145269.tif 000007
【図６】
0003145269.tif 000008
【図７】
0003145269.tif 000009
【図８】
0003145269.tif 000010
【図９】
0003145269.tif 000011
【図１０】
0003145269.tif 000012
【図１１】
0003145269.tif 000013